(57)【特許請求の範囲】
【請求項１】
衿部を有し右前身頃、左前身頃及び後ろ身頃から構成され、上身頃と下身頃とが一体となっている和服であって、
前記和服が、
おはしょりを構成するために複数設けられた上第１接続部材と、
前記上第１接続部材より下方に配置され、前記上第１接続部材と接続する下第１接続部材と、
前記右前身頃の右衽部の表面に設けられ、上下方向に延伸する右第２接続部材と、
前記後ろ身頃の裏面及び前記左前身頃の裏面に設けられ、前記右第２接続部材より上方に配置され、横方向に延伸し、前記右第２接続部材と接続する左第２接続部材と、
前記左前身頃の左衽部の裏面に設けられた左第３接続部材と、
前記後ろ身頃の表面及び前記右前身頃の表面の少なくともいずれか一方に設けられ、前記左第３接続部材より上方に配置され、前記左第３接続部材と接続する右第３接続部材と、を含み、
前記上第１接続部材と前記下第１接続部材とを接続することにより、おはしょりを構成し、
前記右第２接続部材と前記左第２接続部材とを接続し、前記左第３接続部材と前記右第３接続部材とを接続することにより、裾つぼまりにし、かつ、おくみ線及び褄の位置の調節及び位置決めをする和服。
【請求項２】
前記上第１接続部材と前記下第１接続部材とが接続されるために、
前記上第１接続部材が上第１取付部と、前記上第１取付部より下方に配置される上第２取付部とを有し、
前記下第１接続部材が前記上第２取付部と取り付け可能である下第１取付部と、前記下第１取付部より下方に配置され、前記上第１取付部と取り付け可能である下第２取付部と、を有する請求項１記載の和服。
【請求項３】
前記右第２接続部材が２カ所設けられている請求項１又は２記載の和服。
【請求項４】
前記左第３接続部材が上下方向に延伸し、前記右第３接続部材が横方向に延伸する請求項１、２又は３に記載の和服。
【請求項５】
前記上第１取付部、前記上第２取付部、前記下第１取付部及び前記下第２取付部がスナップボタンであり、
前記右第２接続部材、前記左第２接続部材、前記左第３接続部材及び前記右第３接続部材が面ファスナーである請求項２に記載の和服。
【発明の詳細な説明】
【技術分野】
【０００１】
本発明は、着物や浴衣等の和服に関する。
【背景技術】
【０００２】
従来、着物や浴衣は、日常的に着られており、着物等の和服を着ることは困難なことではなかった。
【０００３】
しかし、一部の人々を除き、洋服が日常的に着られるようになり、着物や浴衣等の和服が日常的に着られなくなった。特に、一人で着物や浴衣等の和服を着るのが困難と思う人が多くなった。
【０００４】
また、一人で着物や浴衣等の和服を着ることができた場合であっても、非常に時間がかかったり、汗をかいたりして、簡単に脱ぎ着することができなかった。
【０００５】
そのため、着物等の着付は、着付師等に着付をしてもらう必要があり、費用もかかることから、着物を着たいと思う人が多くても、より一層着物離れが進んでいった。
【０００６】
そして、着物離れが進むにつれてより一層着物や浴衣を着ることが困難であると感じる人達が多くなった。
【０００７】
特許文献１では、和服の着付けができない人にでも美しく和服を着付けることができ、かつ、着崩れし難い和服が記載されている。
【０００８】
具体的には、留め具で留めた状態で、腰紐を結び、身八つ口位置の上前下前に取り付けられた紐を結ぶというものである。
【０００９】
特許文献２では、着付け作業が容易で着心地が良く外観上の体裁が良好な和服を提供するものである。
【００１０】
具体的には、上身頃と下身頃に分断し、おはしょりは下身頃に設け、上身頃と下身頃の重ね合わせ部分に帯を巻くというものである。
【００１１】
特許文献３では、ゴムベルトと紐で腰を縛り、伊達帯と一体化されたおはしょり２８０を別途取り付けるというものである。
【先行技術文献】
【特許文献】
【００１２】
【特許文献１】特開２０００−２９０８０８号公報
【特許文献２】特開２００５−２３２６１１号公報
【特許文献３】特開２００６−１６１２０３号公報
【発明の概要】
【発明が解決しようとする課題】
【００１３】
しかしながら、特許文献１に係る発明は、腰紐を締める位置に配置されている左脇と右脇にある留め具によって留め、腰紐を締めておはしょりをつくるが、留め具の適切な位置は、着用者の体形によって変わってくる。
【００１４】
また、着物等の和服の着用者の体形が変わった場合、留め具を取り付けている位置を変更しなければならないという問題がある。
【００１５】
特許文献２では、上身頃と下身頃とが裁断されており、着物の原型が崩れている。
【００１６】
特許文献３では、伊達帯に取り付けられたおはしょりとなる部を別途取り付ける必要があり、本来の着物原型が崩れている。
【００１７】
本発明の目的は、簡単に脱ぎ着するための着物や浴衣等の和服を提供することである。
【００１８】
本発明の他の目的は、着物や浴衣等の和服の原型を留めつつ奇麗に着れる着物や浴衣等の和服を提供することである。
【課題を解決するための手段】
【００１９】
本発明の第１の局面に係る和服は、衿部を有し右前身頃、左前身頃及び後ろ身頃から構成される和服であって、
前記和服が、
おはしょりを構成するために複数設けられた上第１接続部材と、
前記上第１接続部材より下方に配置され、前記上第１接続部材と接続する下第１接続部材と、
前記右前身頃の右衽部の表面に設けられた右第２接続部材と、
前記後ろ身頃の裏面及び前記左前身頃の裏面の少なくともいずれか一方に設けられ、前記右第２接続部材より上方に配置され、前記右第２接続部材と接続する左第２接続部材と、
前記左前身頃の左衽部の裏面に設けられた左第３接続部材と、
前記後ろ身頃の表面及び前記右前身頃の表面の少なくともいずれか一方に設けられ、前記左第３接続部材より上方に配置され、前記左第３接続部材と接続する右第３接続部材と、を含み、
前記上第１接続部材と前記下第１接続部材とを接続することにより、おはしょりを構成し、
前記右第２接続部材と前記左第２接続部材とを接続し、前記左第３接続部材と前記右第３接続部材とを接続することにより、裾つぼまりにし、かつ、おくみ線及び褄の位置の調節及び位置決めをする和服である。
【００２０】
「おくみ線」とは、衽と前身頃を接いでいる部分の縫目のことであり、「衽付け線」ともいう。
【００２１】
上第１接続部材と下第１接続部材とを接続することにより、容易におはしょりをつくることができ、かつ、おはしょり部分の布を綺麗に二重にすることができ、おはしょりが分厚くなり過ぎず、すっきりさせることができる。
【００２２】
つまり、おはしょり部分の布が不必要に何重にもなるのを防止することができる。
【００２３】
右第２接続部材と左第２接続部材とを接続することにより、右前身頃が左側の上方に引っ張られるため、裾つぼまりにすることができ、着用者は綺麗に着物を着ることができる。
【００２４】
また、左第３接続部材と右第３接続部材とを接続することにより、おくみ線の位置の調節が容易であり、おはしょりのおくみ線と合わせ易くなる。
【００２５】
また、着用者は両手を使うことができるため、衿下部分にしわがいかないように整えることができる。
【００２６】
本発明の第２の局面に係る和服は、第１の局面に係る和服であって、
前記上第１接続部材と前記下第１接続部材とが接続されるために、
前記上第１接続部材が上第１取付部と、前記上第１取付部より下方に配置される上第２取付部とを有し、
前記下第１接続部材が前記上第２取付部と取り付け可能である下第１取付部と、前記下第１取付部より下方に配置され、前記上第１取付部と取り付け可能である下第２取付部と、を有する和服である。
【００２７】
上第２取付部と下第１取付部とを取り付けることにより、簡単におはしょりを構成することができる。
【００２８】
また、身丈が長ければ、上第１取付部と下第２取付部とを取り付けることにより、おはしょりの部分を長くして身丈を短くすることができ、着用者の体形に簡単に合わせることができる。
【００２９】
本発明の第３の局面に係る和服は、第１の局面又は第２の局面に係る和服であって、
前記右第２接続部材が上下方向に延伸し、前記左第２接続部材が横方向に延伸する和服である。
【００３０】
右衽部の表面に設けられている右第２接続部材が上下方向（縦方向）に延伸した縦長であり、後ろ身頃又は左前身頃の裏面に設けられている左第２接続部材が横方向に延伸する横長であることから、互いに接触する可能性が高くなり、着用者は容易に右第２接続部材と左第２接続部材とを接続することができる。
【００３１】
また、右第２接続部材を上下方向（縦方向）に延伸し縦長とすることにより、右第２接続部材が目立ち難くなる。
【００３２】
本発明の第４の局面に係る和服は、第１の局面、第２の局面又は第３の局面に係る和服であって、
前記左第３接続部材が上下方向に延伸し、前記右第３接続部材が横方向に延伸する和服である。
【００３３】
左衽部の裏面に設けられている左第３接続部材が上下方向（縦方向）に延伸した縦長であり、後ろ身頃又は右前身頃の表面に設けられている右第３接続部材が横方向に延伸する横長であることから、互いに接触する可能性が高くなり、着用者は容易に左第３接続部材と右第３接続部材とを接続することができる。  
【００３４】
本発明の第５の局面に係る和服は、第１の局面乃至第４の局面のいずれかに係る和服であって、
前記上第１取付部、前記上第２取付部、前記下第１取付部及び前記下第２取付部がスナップボタンである和服である。
【００３５】
スナップボタンであれば、上下方向（縦方向）の位置を正確に配置することができ、またおはしょりの幅も正確な長さにすることができるため、おはしょりを綺麗につくることができる。
【図面の簡単な説明】
【００３６】
【図１】着用者が長襦袢を着た概念図。
【図２】着用者が着物を着ている途中状態の概念図。
【図３】本発明に係る一実施形態の着物の右前身頃及び左前身頃を開いた場合の平面図。
【図４】同実施形態における着物の右前身頃を閉じた場合の平面図。
【図５】同実施形態における着物の右前身頃及び左前身頃を閉じた場合の平面図。
【図６】同実施形態における着物の右前身頃及び左前身頃を閉じた場合の背面図。
【図７】同実施形態における着物の右前身頃及び左前身頃を開いた場合の部分平面図。
【図８】同実施形態における着物の右前身頃及び左前身頃を開いた場合の部分平面図。
【図９】同実施形態における着物の上第１接続部材と下第１接続部材を接続した場合の平面図。
【図１０】同実施形態における着用者が着物を着た場合の概念図。
【図１１】本発明に係る一実施形態の着物を着用者が着用する場合のフローチャート。
【発明を実施するための形態】
【００３７】
以下、本発明の実施形態に関して図面を参照しながら説明する。なお、本説明において使用する「右」、「左」は、着用者の右手側を右、左手側を左という。
【００３８】
まず、一般的な着物の着付けの一例について簡単に説明する。図１に示すように、通常、着用者は、肌着１１と裾よけ（図示しない）を着た上に長襦袢２０を着る。肌着１１等は補正した肌着であってもよい。
【００３９】
長襦袢２０は、腰紐（図示しない）を腰に巻いて軽く締めることにより固定する。そして、腰紐（図示しない）の上から伊達締め（図示しない）を締める。
【００４０】
具体的には、長襦袢２０の右前身頃２３の位置を決め、左前身頃２４を右前身頃２３の上から被せ、左前身頃２４の位置を決め右手で抑える。
【００４１】
このとき、衿２５の後ろ側の位置（抜いた位置）に注意しながら、右前身頃２３及び左前身頃２４の位置を決める。
【００４２】
衿２５の後ろ側の位置は着用者の好みにもよるが、おおよそ首からこぶし一つ分くらい抜く（あける）のが好ましい。
【００４３】
次に、着用者は、右手で右前身頃２３及び左前身頃２４を重ねた位置を押さえながら、左手で腰紐（図示しない）を持ち、右前身頃２３及び左前身頃２４を重ねた位置がずれないように、腰紐（図示しない）の中央部をお腹部分にあて、一周させて腰紐（図示しない）を前で結び軽く締める。
【００４４】
この時、衿２５の位置が着用者側に移動していることがあるため、腰紐（図示しない）を結んだ後に、長襦袢２０の後ろを下に引っ張り、衿２５の位置（抜いた位置）を元の位置に戻す。
【００４５】
次に、伊達締め（図示しない）の中央部をお腹部分にあて、腰紐（図示しない）の上から一周させる。伊達締め（図示しない）は、背中部分で一折することにより、重なり部分が平らになる。
【００４６】
図２に示すように、長襦袢２０を着た着用者は、着物３０を羽織り、裾の長さを決めて、左前身頃３４を右前身頃３３の前にし、腰紐（図示しない）を腰に巻いて固定する。
【００４７】
具体的には、着用者に対して左前身頃３４の端の位置を決定し、右前身頃３３を引っ張って、左前身頃３４の内側に入れる。右前身頃３３の余った部分が多ければ、左前身頃３４の内側で折り返してもよい。
【００４８】
次に、右手で左前身頃３４と右前身頃３３の重なり部分を押さえつつ、左手で腰紐（図示しない）を持ち、腰紐（図示しない）の中央部をお腹部分にあて、一周させて前で結ぶ。
【００４９】
次に、左身八つ口（図示しない）に左手を入れ、おはしょりがだぶつかないように腰紐（図示しない）の上側の右前身頃３３を左手でたくし上げる。これにより、下半身部分が裾つぼまりの綺麗な見た目となる。
【００５０】
次に、左手で右衿３７を整え、しわがいかないように右前身頃３３の上側を畳み込み、そのまま左手で右前身頃３３をつかんでおく。
【００５１】
左身八つ口（図示しない）に入れた左手で畳み込んだ右前身頃３３をつかんだ状態で、右手で左前身頃３４の左衿３８を整えて、おはしょりをつくる。
【００５２】
右手で右前身頃３３の上部、左前身頃３４の上部の重なり部分を押さえ、おはしょりが崩れないようにし、左身八つ口（図示しない）から入れていた左手を右前身頃３３から放して、左手を左身八つ口（図示しない）から抜く。
【００５３】
次に、右衿３７と左衿３８を整え、左手で伊達締め（図示しない）を持ち、伊達締め（図示しない）の中央部を胸の下あたりにあて、一周させて前で縛る。
【００５４】
伊達締め（図示しない）は、長襦袢２０の伊達締め（図示しない）の場合と同様に、背中部分で一折することにより、重なり部分が平らになる。
【００５５】
次に、背中に両手を回し、後ろ身頃（図示しない）のしわを伸ばして、背中にもしわが行かないようにする。あとは、帯を巻くことにより着物を着ることができる。
【００５６】
一般的に着物は帯を巻くのが大変であるが、帯を巻くまでの作業も大変であり、一人で着物を着る場合は特に大変である。
【００５７】
夏等の暖かい日であれば、ここまでの作業だけで着用者は汗まみれになり、日常的に着物を着たいとは思わなくなってしまう。
【００５８】
＜実施形態＞
次に、本発明の第１実施形態について説明する。実施形態に係る着物１００は、一人でも簡単に着れる着物である。
【００５９】
図３乃至図１０に示すように、本発明の第１実施形態に係る着物１００は、着物本体２００と、
おはしょり２７０を構成するための第１接続部材である上第１接続部材３１０及び下第１接続部材３２０と、
右前身頃２２０の表面の一部を左前身頃２３０の裏面側及び後ろ身頃２４０に接続する第２接続部材である右第２接続部材４１０及び左第２接続部材４２０と、
左前身頃２３０の裏面の一部を右前身頃２２０及び後ろ身頃２４０に接続する第３接続部材である左第３接続部材５１０及び右第３接続部材５２０と、を含む。
【００６０】
（着物本体２００）
着物本体２００は、通常の着物と基本的構成態様は同一であり、衿部２１０と、右前身頃２２０と、左前身頃２３０と、右袖部２５１と、左袖部２６１と、後ろ身頃２４０と、を含む。なお、着物本体２００は内揚げされていてもよい。
【００６１】
後ろ身頃２４０と右前身頃２２０とが接続されることにより右脇線２５０が構成される。
【００６２】
同様に、後ろ身頃２４０と左前身頃２３０とが接続されることにより左脇線２６０が構成される。
【００６３】
後ろ身頃２４０のｘ軸方向略中央部には、反物を縫い合わせた背縫い線２４１がｙ軸方向に沿って構成される。
【００６４】
右前身頃２２０には、反物を縫い合わせた右衽付け線２２１が構成される。
【００６５】
同様に、左前身頃２３０には、反物を縫い合わせた左衽付け線２３１が構成される。
【００６６】
本実施形態において、「右」がｘ軸負方向側、「左」がｘ軸正方向側、「前」がｚ軸正方向側、「後ろ」がｚ軸負方向側、「上」がｙ軸正方向側、「下」がｙ軸負方向側となる。
【００６７】
衿部２１０は、右前身頃２２０に取り付けられ、ｘ軸負方向側に配置される右衿部２１１と、
左前身頃２３０に取り付けられ、ｘ軸正方向側に配置される左衿部２１２と、
後ろ身頃２４０に取り付けられ、ｚ軸負方向側に配置される衣紋部２１３と、を含む。
【００６８】
右衿部２１１、左衿部２１２及び衣紋部２１３は、一体となって衿部２１０を構成する。
【００６９】
右前身頃２２０は、後ろ身頃２４０に取り付けられ、ｘ軸負方向側及び後ろ身頃２４０に対してｚ軸正方向側に配置される。
【００７０】
右前身頃２２０の上側であるｙ軸正方向側かつｘ軸正方向側には、右衿部２１１が取り付けられている。
【００７１】
また、右前身頃２２０の上側であるｙ軸正方向側かつｘ軸負方向側には、右袖部２５１が取り付けられている。
【００７２】
右前身頃２２０は、右袖部２５１の下側であるｙ軸負方向側に設けられている右身八つ口２２３を備える。
【００７３】
右前身頃２２０は、着物本体２００の着用者の右手側の前部分に相当する。
【００７４】
右身八つ口２２３は、着物本体２００の内側と外側が貫通した貫通孔である。
【００７５】
右前身頃２２０は、端側に右衽部２２２を有し、右衽部２２２が縫い合わされて接続されている部分によって右衽付け線２２１が構成される。
【００７６】
左前身頃２３０は、後ろ身頃２４０に取り付けられ、ｘ軸正方向側及び後ろ身頃２４０に対してｚ軸正方向側に配置される。
【００７７】
左前身頃２３０は、着物本体２００の着用者の左手側の前部分に相当するところである。左前身頃２３０は、右前身頃２２０の上（ｚ軸正方向側）に重ねて着用される。
【００７８】
左前身頃２３０の上側であるｙ軸正方向側かつｘ軸正方向側には、左衿部２１２が取り付けられている。
【００７９】
また、左前身頃２３０の上側であるｙ軸正方向側かつｘ軸正方向側には、左袖部２６１が取り付けられている。
【００８０】
左前身頃２３０は、左袖部２６１の下側であるｙ軸負方向側に設けられている左身八つ口２３３を備える。
【００８１】
左身八つ口２３３は、着物本体２００の内側と外側が貫通した貫通孔である。
【００８２】
左前身頃２３０は、端側に左衽部２３２を有し、左衽部２３２が縫い合わされて接続されている部分によって左衽付け線２３１が構成される。
【００８３】
後ろ身頃２４０は、着物本体２００の着用者の後ろ側の部分であり、衿部２１０（衣紋部２１３）、右前身頃２２０、左前身頃２３０、右袖部２５１及び左袖部２６１が取り付けられている。
【００８４】
後ろ身頃２４０のｘ軸歩行略中央部には、ｙ軸方向に沿って背縫い線２４１が構成される。
【００８５】
右脇線２５０は、右前身頃２２０と後ろ身頃２４０とを縫い合わせて接続した部分である。
【００８６】
左脇線２６０は、左前身頃２３０と後ろ身頃２４０とを縫い合わせて接続した部分である。
【００８７】
右袖部２５１は、着物本体２００の着用者の右手を通す部分である。同様に、左袖部２６１は、着物本体２００の着用者の左手を通す部分である。右袖部２５１及び左袖部２６１の詳しい説明は省略する。
【００８８】
第１接続部材は、上第１接続部材３１０と下第１接続部材３２０とを有し、上第１接続部材３１０と下第１接続部材３２０とを接続することにより、おはしょり２７０が構成される。
【００８９】
本実施形態では、上第１接続部材３１０は、３１０ａ、３１０ｂ、３１０ｃ、３１０ｄの４箇所設けられているが、数は限定されない。
【００９０】
同様に、上第１接続部材３１０に対応する下第２取付部材３２０は、３２０ａ、３２０ｂ、３２０ｃ、３２０ｄの４箇所設けられているが、同様に数は限定されない。
【００９１】
本実施形態では、上第１接続部材３１０は、下第１接続部材３２０と接続するための取付部である上第１取付部３１１及び上第２取付部３１２を有する。
【００９２】
上第１取付部３１１は、上第２取付部３１２より上方（ｙ軸正方向側）に配置される。
【００９３】
下第１接続部材３２０は、上第１接続部材３１０と接続するところである。
【００９４】
本実施形態では、下第１接続部材３２０は、下第１取付部３２１と下第２取付部３２２とを有する。
【００９５】
また、本実施形態では、上第１取付部３１１及び上第２取付部３１２、並びに、下第１取付部３２１及び下第２取付部３２２として、スナップボタンが用いられているが、通常のボタンや面ファスナー等でもよく、限定されない。
【００９６】
本実施形態では、上第１接続部材３１０ａ及び下第１接続部材３２０ａは、右前身頃２２０の裏面側であって、右衽付け線２２１の右脇線２５０側に配置されている。
【００９７】
また、上第１接続部材３１０ｂ及び下第１接続部材３２０ｂは、後ろ身頃２４０の背縫い線２４１と右脇線２５０との間に配置されている。
【００９８】
上第１接続部材３１０ｃ及び下第１接続部材３２０ｃは、後ろ身頃２４０の背縫い線２４１と左脇線２６０との間に配置されている。
【００９９】
上第１接続部材３１０ｄ及び下第１接続部材３１０ｄは、左前身頃２３０の裏面側であって、左衽付け線２３１の左脇線２６０側に配置されている。
【０１００】
上第１接続部材３１０と下第１接続部材３２０とを接続することにより、おはしょり２７０が構成される。
【０１０１】
本実施形態では、上第１接続部材３１０及び下第１接続部材３２０には、スナップボタンが用いられている。そのため、おはしょり２７０の位置及び幅を正確にそろえることができる。
【０１０２】
図９に示すように、本実施形態では、上第１接続部材３１０の上第２取付部３１２と、下第１接続部材３２０の下第１取付部３２１とを接続することにより、おはしょり２７０が構成される。
【０１０３】
また、上第１接続部材３１０の上第１取付部３１１と、下第１接続部材３２０の下第２取付部３２２とを接続することにより、構成されるおはしょり２７０を大きくつくることができ、着用者の身長（身丈）に合わせておはしょり２７０を構成することができる。
【０１０４】
つまり、本実施形態では、２パターンのおはしょりを構成することができ、着用者の身長（身丈）に合わせることができる。
【０１０５】
第２接続部材４００は、右第２接続部材４１０と左第２接続部材４２０とを有し、右第２接続部材４１０を左第２接続部材４２０に接続する。
【０１０６】
右第２接続部材４１０は、右前身頃２２０の表側面の衿下付近に取り付けられている。本実施形態では、第２接続部材４００は、面ファスナーである。
【０１０７】
本実施形態では、右第２接続部材４１０は、右第２接続部材Ａ４１１と、右第２接続部材Ｂ４１２とを有し、上下方向（ｙ軸方向）に延びる略長方形であり、衿下付近の右衽部２２２に縫合して取り付けられている。
【０１０８】
右第２接続部材Ｂ４１２は、右第２接続部材Ａ４１１より右衽付け線２２１側に取り付けられている。
【０１０９】
左第２接続部材４２０は、左前身頃２３０及び後ろ身頃２４０の裏側面に取り付けられている。
【０１１０】
本実施形態では、左第２接続部材４２０は、左第２接続部材Ａ４２１と、左第２接続部材Ｂ４２２とを有し、横方向（ｘ軸方向）に延びる略長方形であり、おはしょり２７０が構成される左前身頃２３０の裏面付近に取り付けられている。
【０１１１】
左第２接続部材４２０は、右第２接続部材４１０よりｙ軸正方向側に配置されており、着用者が着物１００を着用したときに、右前身頃２２０のｘ軸正方向側の端が若干持ち上げられ、着用者が着物１００を着た時に裾つぼまりになるように配置されている。
【０１１２】
つまり、右第２接続部材４１０を左第２接続部材４２０に接続することにより、右前身頃２２０のｘ軸正方向側の端が若干持ち上げられ、着用者が着物１００を着た時に裾つぼまりになり、着用者は綺麗に着物１００を着ることができる。
【０１１３】
左第２接続部材Ａ４２１は、左脇線２６０に沿って後ろ身頃２４０の裏面に縫合して取り付けられている。
【０１１４】
左第２接続部材Ｂ４２２は、左脇線２６０に沿って左前身頃２３０の裏面に縫合して取り付けられている。
【０１１５】
右第２接続部材４１０は、上下（縦）方向（ｙ軸方向）に延伸しており、左第２接続部材４２０は、横方向（ｘ軸方向）に延伸しているため、着物１００の着用者は、体形に合わせた位置で右第２接続部材４１０と左第２接続部材４２０とを接続することができる。
【０１１６】
第３接続部材５００は、左第３接続部材５１０と、右第３接続部材５２０とを有し、左第３接続部材５１０を右第３接続部材５２０に接続する。本実施形態では第３接続部材５００は面ファスナーである。
【０１１７】
左第３接続部材５１０は、上下方向（ｙ軸方向）に延伸した略長方形の形状であり、衿下付近の左衽部２３２の裏面に縫合して取り付けられている。
【０１１８】
本実施形態では、右第３接続部材５２０は、右第３接続部材Ａ５２１と、右第３接続部材Ｂ５２２とを有し、横方向（ｘ軸方向）に延びる略長方形であり、おはしょり２７０が構成される右前身頃２２０の表面付近に取り付けられている。
【０１１９】
右第３接続部材５２０は、左第２接続部材４２０より上方（ｙ軸正方向側）に配置される。
【０１２０】
本実施形態では、右第３接続部材５２０は、右第３接続部材Ａ５２１と右第３接続部材Ｂ５２２とを有する。
【０１２１】
右第３接続部材Ａ５２１は、右前身頃２２０の表面の右脇線２５０に沿って縫合して取り付けられ、左第３接続部材５１０より上方（ｙ軸正方向側）に配置されている。
【０１２２】
右第３接続部材Ｂ５２２は、後ろ身頃２４０の表面の右脇線２５０にそって縫合して取り付けられ、右第３接続部材Ａ５２１の横側（ｘ軸方向）に配置されている。
【０１２３】
左第３接続部材５１０は、上下（縦）方向（ｙ軸方向）に延伸しており、右第３接続部材５２０は、横方向（ｘ軸方向）に延伸しているため、着物１００の着用者は、体形に合わせた位置で左第３接続部材５１０と右第３接続部材５２０とを接続することができる。
【０１２４】
これにより、左前身頃２３０のおくみ線（左衽付け線２３１）の位置や裾の位置を用意に調節することができる。また、着崩れした場合に容易に直すことができる。
【０１２５】
また、着用者は、裾線やおくみ線（左衽付け線２３１）の位置を容易に調節できる。そのため、着用者はおくみ線（左衽付け線２３１）をおはしょり部分と合わせ易い。
【０１２６】
またこのような構成により、着物１００の着用者は、着崩れした場合であっても容易に直すことができる。
【０１２７】
また、着物本体２００はカットされていないため、もとの着物に戻すことが容易である。
【０１２８】
図１０に示すように、着用者は、着物１００を着た後に帯を締めることにより簡単に着物を着ることができる。
【０１２９】
帯の結び方は、太鼓結び、角だし結び、文庫結び、貝の口結び、片蝶結び、一文字結び、のし結び、しだれ桜結び、蝶結び、蝶々結び、スイートピー結び、アネモネ結び、マリーゴールド結び、アイリス結び、フリージア結び、なでしこ結び等どのような結び方であってもよい。
【０１３０】
また、帯の結び方は振袖に用いられる結び方であってもよい。つまり、帯の結び方は、ふくら雀結び、花結び、立て矢結び、蝶文庫結び、花流水結び等であってもよい。
【０１３１】
＜着物１００を着るフローチャート＞
図１１のフローチャートを用いて着用者が着物１００を着る手順を説明する。
【０１３２】
着用者は長襦袢を着る（ステップＳ１１）。長襦袢でなく簡易な着物用の衿が付されたシャツ等であってもよい。
【０１３３】
着用者は、上第１接続部材３１０と下第１接続部材３２０を身長に合わせた位置で接続し、おはしょり２７０をつくる（ステップＳ１２）。
【０１３４】
具体的には、上第１接続部材３１０の上第２取付部３１２と、下第１接続部材３２０の下第１取付部３２１とを取り付けることにより、おはしょり２７０をつくる。
【０１３５】
着用者は、身丈が長すぎる場合、上第１接続部材３１０の上第１取付部３１１と、下第１接続部材３２０の下第２取付部３２２とを取り付けることにより、おはしょり２７０部分を大きくし、身丈を短くする。
【０１３６】
次に、着用者は着物１００を羽織り、右前身頃２２０の上に左前身頃２３０を重ね、右前身頃２２０の右第２接続部材４１０と、左前身頃２３０又は後ろ身頃２４０の左第２接続部材４２０とを接続する（ステップＳ１３）。
【０１３７】
このとき、左前身頃２３０の端の位置を決めてから、右第２接続部材４１０と左第２接続部材４２０とを接続することが好ましい。
【０１３８】
なお、着用者は、着物１００を羽織ってから上第１接続部材３１０と下第１接続部材３２０とを接続してもよい。
【０１３９】
着用者は、左第３接続部材５１０と右第３接続部材５２０とを接続する（ステップＳ１４）。
【０１４０】
着用者は、裾線やおくみ線（衽付け線）２３１の位置を調節し、衿下を整える（ステップＳ１５）。
【０１４１】
その後、着用者は、帯を巻くことにより、容易に着物１００を着ることができる。なお、帯を巻く前に衿を整えて伊達締めをしてもよい。
【０１４２】
本発明は、その趣旨を逸脱しない範囲で種々の改良、修正、又は変形を加えた態様でも実施できる。
【符号の説明】
【０１４３】
１００…着物
２００…着物本体
２１０…衿部
２２０…右前身頃
２３０…左前身頃
２４０…後ろ身頃
２５１…右袖部
２６１…左袖部
２７０…おはしょり
３１０…上第１接続部材（第１接続部材）
３１１…上第１取付部
３１２…上第２取付部
３２０…下第１接続部材（第１接続部材）
３２１…下第１取付部
３２２…下第２取付部
４００…第２接続部材
４１０…右第２接続部材
４１１…右第２接続部材Ａ
４１２…右第２接続部材Ｂ
４２０…左第２接続部材
５００…第３接続部材
５１０…左第３接続部材
５２０…右第３接続部材
５２１…右第３接続部材Ａ
５２２…右第３接続部材Ｂ
７００…枕紐
８００…帯揚げ
９００…帯締め
【要約】      （修正有）【課題】着物や浴衣等の和服の原型を留めつつ奇麗に着れる着物や浴衣等の和服を提供すること。【解決手段】おはしょりを構成するために複数設けられた上第１接続部材３１０と、上第１接続部材より下方に配置され、上第１接続部材と接続する下第１接続部材３２０と、右前身頃２２０の右衽部２２２の表面に設けられた右第２接続部材４１０と、後ろ身頃２４０の裏面及び左前身頃２３０の裏面の少なくともいずれか一方に設けられ、右第２接続部材より上方に配置され、右第２接続部材と接続する左第２接続部材４２０と、左前身頃の左衽部２３２の裏面に設けられた左第３接続部材５１０と、後ろ身頃の表面及び右前身頃の表面の少なくともいずれか一方に設けられ、左第３接続部材より上方に配置され、左第３接続部材と接続する右第３接続部材と、を備える和服。【選択図】図３【図１】
0006796296.tif 000002
【図２】
0006796296.tif 000003
【図３】
0006796296.tif 000004
【図４】
0006796296.tif 000005
【図５】
0006796296.tif 000006
【図６】
0006796296.tif 000007
【図７】
0006796296.tif 000008
【図８】
0006796296.tif 000009
【図９】
0006796296.tif 000010
【図１０】
0006796296.tif 000011
【図１１】
0006796296.tif 000012